(57)【特許請求の範囲】
【請求項１】
画素回路をマトリックス状に配置して形成された表示部に対して、前記表示部の信号線及び走査線を介して水平駆動回路及び垂直駆動回路により前記画素回路を駆動することにより、前記表示部で所望の画像を表示する表示装置において、
前記画素回路は、
少なくとも発光素子と、
信号レベル保持用コンデンサと、
前記信号レベル保持用コンデンサの両端をゲート及びソースに接続し、前記発光素子のアノードを前記ソースに接続し、前記ゲート及びソース間電圧に応じた駆動電流で前記発光素子を駆動する駆動トランジスタと、
前記垂直駆動回路から出力される書込信号によりオン動作して、前記駆動トランジスタのゲートを前記信号線に接続する書込トランジスタとを有し、
前記水平駆動回路は、
所定の固定電圧を間に挟んだ各画素の階調を示す階調電圧の連続による駆動信号を対応する前記信号線に出力し、
前記垂直駆動回路は、
前記発光素子の発光を停止させる非発光期間において、
前記駆動信号が前記固定電圧に設定される期間で、前記書込信号により前記書込トランジスタをオン動作させ、前記信号レベル保持用コンデンサのゲート側端を前記信号線に接続することにより、前記信号レベル保持用コンデンサの前記ゲート側端を前記固定電圧に設定して前記信号レベル保持用コンデンサの端子間電圧を前記駆動トランジスタのしきい値電圧以上の電圧に設定した後、
前記駆動信号が前記階調電圧に設定される補正休止期間で、前記書込信号により前記書込トランジスタをオフ動作させ、前記信号レベル保持用コンデンサの前記ゲート側端を前記信号線から切り離し、
少なくとも前記補正休止期間を間に挟んだ、前記駆動信号が前記固定電圧に設定される第１及び第２の期間で、前記書込信号により前記書込トランジスタをオン動作させ、前記信号レベル保持用コンデンサのゲート側端を前記信号線に接続し、前記駆動トランジスタの電源の制御により前記信号レベル保持用コンデンサの前記発光素子側端を前記駆動トランジスタにより充電することにより、前記信号レベル保持用コンデンサの端子間電圧を前記駆動トランジスタのしきい値電圧に設定し、
続いて前記駆動信号が前記階調電圧に設定される期間で、前記書込信号により前記書込トランジスタをオン動作させ、前記信号レベル保持用コンデンサの前記ゲート側端を前記信号線に接続することにより、前記信号レベル保持用コンデンサのゲート側端を前記階調電圧に設定し、
前記画素回路は、
前記書込トランジスタのゲート及びソース間に設けられた容量によるカップリングにより、前記書込信号の立ち下げによって前記駆動トランジスタのゲート電圧及びソース電圧を降下させ、前記補正休止期間の間、前記固定電圧から前記駆動トランジスタのしきい値電圧を減じた電圧以下に前記ソース電圧を保持する
ことを特徴とする表示装置。
【請求項２】
前記垂直駆動回路は、
前記駆動トランジスタのドレイン電圧の立ち下げにより、前記駆動トランジスタを介して前記信号レベル保持用コンデンサの前記ソース側電圧を立ち下げることにより、前記信号レベル保持用コンデンサの端子間電圧を前記駆動トランジスタのしきい値電圧以上の電圧に設定する
ことを特徴とする請求項１に記載の表示装置。
【請求項３】
前記容量が、前記書込トランジスタのゲート及びソースのオーバーラップにより形成された
ことを特徴とする請求項１に記載の表示装置。
【請求項４】
画素回路をマトリックス状に配置して形成された表示部に対して、前記表示部の信号線及び走査線を介して水平駆動回路及び垂直駆動回路により前記画素回路を駆動することにより、前記表示部で所望の画像を表示する表示装置の駆動方法において、
前記画素回路は、
少なくとも発光素子と、
信号レベル保持用コンデンサと、
前記信号レベル保持用コンデンサの両端をゲート及びソースに接続し、前記発光素子のアノードを前記ソースに接続し、前記ゲート及びソース間電圧に応じた駆動電流で前記発光素子を駆動する駆動トランジスタと、
前記垂直駆動回路から出力される書込信号によりオン動作して、前記駆動トランジスタのゲートを前記信号線に接続する書込トランジスタとを有し、
前記駆動方法は、
所定の固定電圧を間に挟んだ各画素の階調を示す階調電圧の連続による駆動信号を対応する前記信号線に出力する駆動信号出力ステップと、
前記発光素子の発光を停止させる非発光期間において、
前記駆動信号が前記固定電圧に設定される期間で、前記書込信号により前記書込トランジスタをオン動作させ、前記信号レベル保持用コンデンサのゲート側端を前記信号線に接続することにより、前記信号レベル保持用コンデンサの前記ゲート側端を前記固定電圧に設定して前記信号レベル保持用コンデンサの端子間電圧を前記駆動トランジスタのしきい値電圧以上の電圧に設定するしきい値電圧設定の前処理ステップと、
前記駆動信号が前記階調電圧に設定される補正休止期間で、前記書込信号により前記書込トランジスタをオフ動作させ、前記信号レベル保持用コンデンサの前記ゲート側端を前記信号線から切り離し、少なくとも前記補正休止期間を間に挟んだ、前記駆動信号が前記固定電圧に設定される第１及び第２の期間で、前記書込信号により前記書込トランジスタをオン動作させ、前記信号レベル保持用コンデンサのゲート側端を前記信号線に接続し、前記駆動トランジスタの電源の制御により前記信号レベル保持用コンデンサの前記発光素子側端を前記駆動トランジスタにより充電することにより、前記信号レベル保持用コンデンサの端子間電圧を前記駆動トランジスタのしきい値電圧に設定するしきい値電圧設定ステップと、
続いて前記駆動信号が前記階調電圧に設定される期間で、前記書込信号により前記書込トランジスタをオン動作させ、前記信号レベル保持用コンデンサの前記ゲート側端を前記信号線に接続することにより、前記信号レベル保持用コンデンサのゲート側端を前記階調電圧に設定する階調電圧設定ステップとを有し、
前記しきい値電圧設定ステップは、
前記書込トランジスタのゲート及びソース間に設けられた容量によるカップリングにより、前記書込信号の立ち下げによって前記駆動トランジスタのゲート電圧及びソース電圧を降下させ、前記補正休止期間の間、前記固定電圧から前記駆動トランジスタのしきい値電圧を減じた電圧以下に前記ソース電圧を保持する
ことを特徴とする表示装置の駆動方法。
【発明の詳細な説明】
【技術分野】
【０００１】
本発明は、表示装置及び表示装置の駆動方法に関し、例えば有機ＥＬ（Electro Luminescence）素子によるアクティブマトリックス型の表示装置に適用することができる。本発明は、複数回の期間に分けて信号レベル保持用コンデンサの端子間電圧を駆動トランジスタにより放電させて信号レベル保持用コンデンサの端子間電圧を駆動トランジスタのしきい値電圧に設定する際に、書込トランジスタのゲートソース間の容量にコンデンサを設け、このコンデンサによるカップリングにより信号レベル保持用コンデンサの端子電圧を低下させることにより、複数回に分けて駆動トランジスタのしきい値電圧のばらつきを補正する場合でも、正しく駆動トランジスタのしきい値電圧のばらつきを補正することができるようにする。
【背景技術】
【０００２】
従来、有機ＥＬ素子を用いたアクティブマトリックス型の表示装置は、有機ＥＬ素子による画素と有機ＥＬ素子を駆動する駆動回路とによる画素回路をマトリックス状に配置して表示部が形成され、この表示部の周囲に配置した水平駆動回路及び垂直駆動回路により各画素回路を駆動して所望の画像を表示する。
【０００３】
この有機ＥＬ素子を用いた表示装置に関して、特開２００５−３４５７２２号公報には、有機ＥＬ素子を駆動する駆動トランジスタのしきい値電圧のばらつきを補正して各画素の階調を設定することにより、このしきい値電圧のばらつきによる画質劣化を防止し、Ｎチャンネル型のトランジスタを使用する場合でも、高い画質を確保することが可能な構成が提案されている。また特開２００７−１３３２８４号公報には、このしきい値電圧のばらつきを補正する処理を複数回に分けて実行する構成が提案されている。この特開２００７−１３３２８４号公報には、さらに有機ＥＬ素子を駆動するトランジスタの移動度のばらつきによる画質劣化を防止する方法も開示されている。
【０００４】
ここで図３は、この特開２００５−３４５７２２号公報に開示の表示装置を示す接続図である。この表示装置１は、水平セレクタ（ＨＳＥＬ）２により水平駆動回路３が構成され、またドライブスキャナ（ＤＳＣＮ）４Ａ、ライトスキャナ（ＷＳＣＮ）４Ｂ、第１及び第２のオートゼロスキャナ（ＡＺＣＮ１及びＡＺＣＮ２）４Ｃ及び４Ｄにより垂直駆動回路５が構成される。
【０００５】
ここで水平セレクタ２は、表示部６の信号線ＳＩＧにそれぞれ対応する複数のラッチ回路で入力画像データＤ１を順次ラッチすることにより、この画像データＤ１を各信号線ＳＩＧに振り分ける。また各信号線ＳＩＧに振り分けた画像データＤ１をそれぞれディジタルアナログ変換処理し、各信号線ＳＩＧに接続された各画素の階調を順次示す駆動信号Ｓｓｉｇを信号線ＳＩＧ毎に生成する。水平セレクタ２は、この駆動信号Ｓｓｉｇを対応する信号線ＳＩＧに出力する。
【０００６】
ライトスキャナ４Ａ、ドライブスキャナ４Ｂ、第１及び第２のオートゼロスキャナ４Ｃ及び４Ｄは、それぞれ図示しない信号生成回路で生成された基準信号を順次転送することにより、各走査線の駆動信号ＤＳ、ＷＳ、ＡＺ１、ＡＺ２を生成し、この駆動信号ＤＳ、ＷＳ、ＡＺ１、ＡＺ２をそれぞれ対応する走査線に出力する。
【０００７】
表示部６は、所定の画素回路７をマトリックス状に配置して形成される。ここで画素回路７は、信号レベル保持用コンデンサＣ１の両端をそれぞれゲート及びソースに接続したソースフォロワ回路構成のＮＭＯＳトランジスタＴＲ１（以下、駆動トランジスタと呼ぶ）により、電流駆動型の発光素子である有機ＥＬ素子８を駆動する。なおここでＣｐは、有機ＥＬ素子８の容量成分である。またＶｃａｔは、有機ＥＬ素子８のカソード電圧である。
【０００８】
この駆動トランジスタＴＲ１は、ドライブスキャナ４Ｂから出力される駆動信号であるドライブ信号ＤＳによりオンオフ動作するＮＭＯＳトランジスタＴＲ２を介して、駆動用電源Ｖｃｃにドレインが接続される。これにより画素回路７は、ドライブ信号ＤＳによるトランジスタＴＲ２のオンオフ制御により駆動トランジスタＴＲ１への電源Ｖｃｃの供給が制御され、発光、非発光が制御される。
【０００９】
またこの駆動トランジスタＴＲ１は、それぞれ第１及び第２のオートゼロスキャナ４Ｃ及び４Ｄから出力される駆動信号である第１及び第２のオートゼロ信号ＡＺ１及びＡＺ２によりオンオフ動作するＮＭＯＳトランジスタＴＲ３及びＴＲ４を介して、ゲート及びソースが第１及び第２の基準電源Ｖｉｎｉ及びＶｓｓ２に接続される。これにより画素回路７は、これら第１及び第２のオートゼロ信号ＡＺ１及びＡＺ２によるトランジスタＴＲ３及びＴＲ４の制御により信号レベル保持用コンデンサＣ１の両端電位をそれぞれ基準電圧Ｖｉｎｉ及びＶｓｓ２に設定する。
【００１０】
また駆動トランジスタＴＲ１は、ライトスキャナ４Ａから出力される駆動信号である書込み信号ＷＳによりオンオフ動作するＮＭＯＳトランジスタＴＲ５（以下、書込トランジスタと呼ぶ）を介して、ゲートが信号線ＳＩＧに接続される。これにより画素回路７は、この書込み信号ＷＳによる書込トランジスタＴＲ５の制御により信号線ＳＩＧに出力される駆動信号Ｓｓｉｇの電圧が信号レベル保持用コンデンサＣ１の一端に設定される。
【００１１】
ここで図４は、この画素回路７の動作の説明に供するタイムチャートである。ここで表示部６は、図４（Ａ）において信号書き込みにより駆動トランジスタＴＲ１への信号線ＳＩＧの接続を示すように、フレーム単位のライン順次により各画素回路７の階調が設定される。各画素回路７は、この階調を設定する１水平走査期間（１Ｈ）の前後、一定の期間が非発光期間Ｔ１に設定され、残りが発光期間Ｔ２に設定される（図４（Ｂ））。
【００１２】
画素回路７は、非発光期間Ｔ１が時点ｔ１により開始すると、第１及び第２のオートゼロ信号ＡＺ１及びＡＺ２によりトランジスタＴＲ３及びＴＲ４がオン状態に設定され（図４（Ｃ）及び（Ｄ））、駆動トランジスタＴＲ１のゲート電圧Ｖｇ及びソース電圧Ｖｓ（図４（Ｅ）及び（Ｆ））がそれぞれ基準電圧Ｖｓｓ２及びＶｉｎｉに設定される。ここで基準電圧Ｖｓｓ２及びＶｉｎｉは、電位差Ｖｓｓ２−Ｖｉｎｉが駆動トランジスタＴＲ１のしきい値電圧Ｖｔｈより十分に大きな電圧に設定される。これにより画素回路７は、信号レベル保持用コンデンサＣ１の両端電位差が駆動トランジスタＴＲ１のしきい値電圧Ｖｔｈより大きな電圧に設定される。
【００１３】
続いて画素回路７は、時点ｔ２において、第１のオートゼロ信号ＡＺ１が立ち下げられ、駆動トランジスタＴＲ１のソース側トランジスタＴＲ３がオフ状態に設定される。これにより画素回路７は、駆動トランジスタＴＲ１のゲートソース間電圧Ｖｇｓに応じた駆動電流が駆動トランジスタＴＲ１のソースから流出する。ここで駆動トランジスタＴＲ１のゲート側基準電圧Ｖｓｓ２は、この駆動トランジスタＴＲ１による駆動電流が信号レベル保持用コンデンサＣ１の有機ＥＬ素子８側端を充電するように、すなわち有機ＥＬ素子８のカソード電圧Ｖｃａｔに比して有機ＥＬ素子８のアノード電圧を十分に低い電圧に保持する電圧に設定される。これにより画素回路７は、信号レベル保持用コンデンサＣ１の有機ＥＬ素子８側端の電圧が駆動トランジスタＴＲ１による充電により徐々に上昇し、信号レベル保持用コンデンサＣ１の端子間電圧が徐々に低下し、この端子間電圧が駆動トランジスタＴＲ１のしきい値電圧Ｖｔｈとなると、駆動トランジスタＴＲ１がオフ状態に動作を切り換え、信号レベル保持用コンデンサＣ１の端子間電圧の低下が停止する。これにより画素回路７は、信号レベル保持用コンデンサＣ１の両端電位差が駆動トランジスタＴＲ１のしきい値電圧Ｖｔｈに設定される。
【００１４】
画素回路７は、続く時点ｔ３において、第２のオートゼロ信号ＡＺ２が立ち下げられて、駆動トランジスタＴＲ１のゲート側トランジスタＴＲ４がオフ状態に設定され、またドライブ信号ＤＳが立ち下げられて、駆動トランジスタＴＲ１への電源Ｖｃｃの供給が停止される。また続く時点ｔ４で、書込み信号ＷＳが立ち上げられて書込トランジスタＴＲ５がオン状態に設定され、これにより駆動トランジスタＴＲ１のゲートが信号線ＳＩＧに接続される。画素回路７は、所定のタイミングで書込み信号ＷＳが立ち下げられて書込トランジスタＴＲ５がオフ状態に設定され、これにより信号線ＳＩＧに出力される駆動信号Ｓｓｉｇの電圧Ｖｓｉｇが信号レベル保持用コンデンサＣ１の一端にホールドされる。これにより画素回路７は、信号レベル保持用コンデンサＣ１に設定された駆動トランジスタＴＲ１のしきい値電圧Ｖｔｈにより補正して、信号レベル保持用コンデンサＣ１の端子間電圧が駆動信号Ｓｓｉｇの電圧Ｖｓｉｇに応じた電圧に設定される。
【００１５】
画素回路７は、発光期間Ｔ２の開始時点ｔ５でトランジスタＴＲ１への電源Ｖｃｃの供給が開始される。これにより画素回路７は、信号レベル保持用コンデンサＣ１の端子間電圧によるゲートソース間電圧Ｖｇｓにより有機ＥＬ素子８を電流駆動し、有機ＥＬ素子８の容量Ｃｐによるブートストラップ動作により有機ＥＬ素子８を発光させる。なおここでこの駆動トランジスタＴＲ１による有機ＥＬ素子８の駆動電流Ｉｄｓは、次式により表される。ここでＶｇｓは、駆動トランジスタＴＲ１のゲートソース間電圧であり、信号レベル保持用コンデンサＣ１の両端電圧差である。またμはトランジスタＴＲ１の移動度、ＷはトランジスタＴＲ１のチャンネル幅、ＬはトランジスタＴＲ１のチャンネル長、ＣｏｘはトランジスタＴＲ１の単位面積当りのゲート絶縁膜の容量、ＶｔｈはトランジスタＴＲ１のしきい値電圧である。
【００１６】
【数１】
0005067134.tif 000002
【００１７】
この図３及び図４の構成によれば、駆動トランジスタＴＲ１のしきい値電圧Ｖｔｈで補正して信号線ＳＩＧに出力される駆動信号Ｓｓｉｇの電圧Ｖｓｉｇを信号レベル保持用コンデンサＣ１に設定することにより、駆動トランジスタＴＲ１のしきい値電圧Ｖｔｈのばらつきによる画質の劣化を防止することができる。
【００１８】
ところでこの図３に示す構成では、事前に、信号レベル保持用コンデンサＣ１の両端電圧を基準電圧Ｖｉｎｉ及びＶｓｓ２に設定して信号レベル保持用コンデンサＣ１の両端電位差Ｖｓｓ２−Ｖｉｎｉを駆動トランジスタＴＲ１のしきい値電圧Ｖｔｈより十分に大きな電圧に設定した後、信号レベル保持用コンデンサＣ１の両端電位差を駆動トランジスタＴＲ１のしきい値電圧Ｖｔｈに設定する。
【００１９】
この事前に、信号レベル保持用コンデンサＣ１の両端電圧を基準電圧Ｖｉｎｉ及びＶｓｓ２に設定する処理のうち、駆動トランジスタＴＲ１のゲート側電圧Ｖｓｓ２の設定については、書込トランジスタＴＲ５を介して信号線ＳＩＧにより実行することもでき、この場合、トランジスタＴＲ４を省略して画素回路７の構成を簡略化することができる。また駆動トランジスタＴＲ１のソース側電圧Ｖｉｎｉの設定については、電源電圧Ｖｃｃの立ち下げにより設定できると考えられる。このようにすれば画素回路を構成するトランジスタ数を低減することができ、表示部を一段と高解像度化することができると考えられる。またこの場合に、特開２００７−１３３２８４号公報に開示の手法を適用して、信号レベル保持用コンデンサＣ１に駆動トランジスタＴＲ１のしきい値電圧Ｖｔｈを設定する処理を複数回に分けて実行すれば、高解像度化により動作周波数を高周波数化する場合でも、しきい値電圧Ｖｔｈを設定する時間を十分に確保することができ、駆動トランジスタＴＲ１のしきい値電圧Ｖｔｈのばらつきによる画質劣化を確実に防止できると考えられる。また併せて特開２００７−１３３２８４号公報に開示の駆動トランジスタの移動度のばらつきによる画質の劣化を防止する手法を適用して、一段と画質を向上できると考えられる。
【００２０】
図５は、これらの点を考慮して考えられる表示装置を示すブロック図である。この表示装置１１は、所定の絶縁基板上に表示部１２が作成され、この表示部１２の周囲に水平駆動回路１３及び垂直駆動回路１４が設けられる。水平駆動回路１３には、水平セレクタ（ＨＳＥＬ）１５が設けられ、また垂直駆動回路１４には、ライトスキャナ（ＷＳＣＮ）１６Ａ、ドライブスキャナ（ＤＳＣＮ）１６Ｂが設けられる。
【００２１】
水平セレクタ（ＨＳＥＬ）１５は、水平セレクタ２と同様にして各信号線ＳＩＧに画像データＤ１を振り分けてディジタルアナログ変換処理する。水平セレクタ１５は、所定の固定電圧Ｖｏｆｓとこのディジタルアナログ変換結果とを交互に出力することにより、固定電圧Ｖｏｆｓを間に挟んで、信号線ＳＩＧに接続された各画素の階調を示す階調電圧Ｖｓｉｇの連続による駆動信号Ｓｓｉｇを各信号線ＳＩＧに出力する（図７（Ｃ）参照）。
【００２２】
ライトスキャナ１６Ａ、ドライブスキャナ１６Ｂは、それぞれ図示しない信号生成回路で生成された基準信号を順次転送することにより、各走査線の駆動信号ＤＳ、ＷＳを生成し、この駆動信号ＤＳ、ＷＳをそれぞれ対応する走査線に出力する。
【００２３】
表示部１２は、画素回路（ＰＩＸ）１７をマトリックス状に配置して作成される。ここで図６に示すように、画素回路１７は、信号レベル保持用コンデンサＣ１への基準電圧の設定に係るトランジスタＴＲ３及びＴＲ４が省略された点、このトランジスタＴＲ３及びＴＲ４の省略に関連する構成が異なる点を除いて、図３の画素回路７と同一に構成される。
【００２４】
図７に示すように、各画素回路１７は、有機ＥＬ素子８の発光を停止させる非発光期間Ｔ１が時点ｔ１で開始すると、ドライブ信号ＤＳの電圧が発光期間Ｔ２の電圧Ｖｃｃから基準電圧Ｖｉｎｉに立ち下げられる（図７（Ｂ））。ここでこの基準電圧Ｖｉｎｉは、有機ＥＬ素子８のカソード電圧Ｖｃａｔに有機ＥＬ素子８のしきい値電圧を加算した電圧より低い電圧に設定される。これにより画素回路１７は、駆動トランジスタＴＲ１の駆動信号ＤＳ側がソースとして機能し、有機ＥＬ素子８のアノード電圧が立ち下がり、有機ＥＬ素子８が発光を停止する。また駆動トランジスタＴＲ１を介して信号レベル保持用コンデンサＣ１の有機ＥＬ素子８側端から蓄積電荷が放電し、これにより有機ＥＬ素子８のアノード電圧が立ち下がって信号レベル保持用コンデンサＣ１の有機ＥＬ素子８側端の電圧（駆動トランジスタＴＲ１のソース電圧Ｖｓ）（図７（Ｅ））が電圧Ｖｉｎｉに設定される。
【００２５】
続いて画素回路１７は、駆動信号Ｓｓｉｇにより信号線ＳＩＧが所定電圧Ｖｏｆｓに立ち下がると、時点ｔ２で書込み信号ＷＳにより書込トランジスタＴＲ５がオン状態に切り換えられる（図７（Ａ）及び（Ｃ））。これにより画素回路１７は、駆動トランジスタＴＲ１のゲート電圧Ｖｇがこの信号線ＳＩＧの電圧Ｖｏｆｓに設定され、信号レベル保持用コンデンサＣ１の端子間電圧がＶｏｆｓ−Ｖｉｎｉに設定される。ここで画素回路１７では、この端子間電圧Ｖｏｆｓ−Ｖｉｎｉが駆動トランジスタＴＲ１のしきい値電圧をＶｔｈより大きくなるように電圧Ｖｏｆｓ、Ｖｉｎｉが設定される。これにより画素回路１７では、時点ｔ１から時点ｔ２までの期間で、信号レベル保持用コンデンサＣ１の端子間電圧が駆動トランジスタＴＲ１のしきい値電圧Ｖｔｈより大きな電圧に設定され、信号レベル保持用コンデンサＣ１に駆動トランジスタＴＲ１のしきい値電圧Ｖｔｈを設定するための準備処理が実行される。
【００２６】
続いて画素回路１７は、駆動信号Ｓｓｉｇが固定電位Ｖｏｆｓに保持されている期間の時点ｔ３で、書込トランジスタＴＲ５をオン状態に保持したままの状態で、ドライブ信号ＤＳが発光期間Ｔ２の電圧Ｖｃｃに立ち上げられて駆動トランジスタＴＲ１への電源の供給が開始される（図７（Ｂ））。また続いて信号線ＳＩＧの信号レベルが階調電圧Ｖｓｉｇに設定される直前の時点ｔ４で、書込み信号ＷＳにより書込トランジスタＴＲ５がオフ状態に切り換えられる。
【００２７】
これにより画素回路１７は、信号レベル保持用コンデンサＣ１の端子間電圧が駆動トランジスタＴＲ１のしきい値電圧Ｖｔｈより大きい場合であることを条件に、時点ｔ３から時点ｔ４までの期間Ｔｔｈ１の間、駆動トランジスタＴＲ１を介して電源Ｖｃｃにより信号レベル保持用コンデンサＣ１の有機ＥＬ素子８側端に充電電流が流れ、駆動トランジスタＴＲ１のソース電圧Ｖｓが徐々に上昇する（図７（Ｅ））。その結果、画素回路１７は、信号レベル保持用コンデンサＣ１の端子間電圧が徐々に駆動トランジスタＴＲ１のしきい値電圧Ｖｔｈに接近する。なお画素回路１７は、固定電位Ｖｏｆｓの設定によりこのように有機ＥＬ素子８側端の電圧Ｖｓが上昇しても有機ＥＬ素子８が発光しないように設定される。
【００２８】
画素回路１７は、時点ｔ４で書込み信号ＷＳにより書込トランジスタＴＲ５がオフ状態に切り換えられると、有機ＥＬ素子８の容量Ｃｐによるブートストラップ動作を開始し、駆動トランジスタＴＲ１のゲート電圧Ｖｇ及びソース電圧Ｖｓが徐々に上昇する（図７（Ｄ）及び（Ｅ））。
【００２９】
画素回路１７は、一定時間経過して再び信号線ＳＩＧの信号レベルが電圧Ｖｏｆｓに設定されると、時点ｔ５で書込み信号ＷＳにより書込トランジスタＴＲ５がオン状態に切り換えられて駆動トランジスタＴＲ１のゲートが信号線ＳＩＧに接続される。また続いて信号線ＳＩＧの信号レベルが階調電圧Ｖｓｉｇに設定される直前の時点ｔ６で、書込み信号ＷＳにより書込トランジスタＴＲ５がオフ状態に切り換えられる。
【００３０】
これにより画素回路１７は、時点ｔ５から時点ｔ６までの期間Ｔｔｈ２の間、期間Ｔｔｈ１の場合と同様にして、信号レベル保持用コンデンサＣ１の端子間電圧が徐々に駆動トランジスタＴＲ１のしきい値電圧Ｖｔｈに接近し、信号レベル保持用コンデンサＣ１の端子間電圧が駆動トランジスタＴＲ１のしきい値電圧Ｖｔｈとなると、ソース電圧Ｖｓの上昇が停止する。これにより画素回路１７は、信号レベル保持用コンデンサＣ１の端子間電圧が駆動トランジスタＴＲ１のしきい値電圧Ｖｔｈに設定される。なおこれによりこの図７の例では、期間Ｔｔｈ１と期間Ｔｔｈ２との２回の処理で、信号レベル保持用コンデンサＣ１の端子間電圧が駆動トランジスタＴＲ１のしきい値電圧Ｖｔｈに設定されるものの、この繰り返しの回数は、信号レベル保持用コンデンサＣ１の端子間電圧が駆動トランジスタＴＲ１のしきい値電圧Ｖｔｈとなるに十分な回数だけ繰り返すことができ、３回以上としてもよい。
【００３１】
画素回路１７は、続いて駆動信号Ｓｓｉｇが当該画素回路１７の階調電圧Ｖｓｉｇに設定されている時点ｔ７で書込み信号ＷＳが立ち上げられて書込トランジスタＴＲ５がオン状態に設定され、これにより駆動トランジスタＴＲ１のゲートが信号線ＳＩＧに接続される。また一定期間Ｔμが経過した時点ｔ８で、書込み信号ＷＳが立ち下げられ、これにより信号線ＳＩＧに出力されている駆動信号Ｓｓｉｇの階調電圧Ｖｓｉｇが信号レベル保持用コンデンサＣ１の一端にホールドされる。これにより画素回路１７は、信号レベル保持用コンデンサＣ１に設定された駆動トランジスタＴＲ１のしきい値電圧Ｖｔｈにより補正して、信号レベル保持用コンデンサＣ１の端子間電圧が階調電圧Ｖｓｉｇに応じた電圧に設定される。これによりこの表示装置１１では、駆動トランジスタＴＲ１のしきい値電圧Ｖｔｈのばらつきによる画質劣化を防止することができる。
【００３２】
ここでこの時点ｔ７から時点ｔ８までの期間Ｔμにおいては、駆動トランジスタＴＲ１のゲート電圧Ｖｇを階調電圧Ｖｓｉｇに設定した状態で駆動トランジスタＴＲ１に電源Ｖｃｃを供給していることから、駆動トランジスタＴＲ１は、ゲートソース間電圧Ｖｇｓに応じてソース電圧Ｖｓが徐々に上昇することになる。またここでこのソース電圧Ｖｓの上昇速度は、（１）式により駆動トランジスタＴＲ１の移動度が大きい場合程、早くなる。またソース電圧Ｖｓが上昇すると、ゲートソース間電圧Ｖｇｓが低下することにより、ソース電流が流れ難くなる。
【００３３】
これにより画素回路１７は、この一定期間Ｔμにより、移動度が大きい駆動トランジスタ程、信号レベル保持用コンデンサＣ１の端子間電圧が低下し、移動度のばらつきを補正して画質の劣化が防止される。
【００３４】
画素回路１７は、時点ｔ８で書込み信号ＷＳが立ち下げられると、発光期間Ｔ２が開始し、信号レベル保持用コンデンサＣ１の端子間電圧によるゲートソース間電圧Ｖｇｓにより有機ＥＬ素子８を電流駆動する。なおこの発光期間Ｔ２において、画素回路１７は、有機ＥＬ素子８の容量Ｃｐによる駆動トランジスタＴＲ１のブートストラップ動作により、期間Ｔμで設定された駆動トランジスタＴＲ１のゲート電圧Ｖｇ及びソース電圧Ｖｓが徐々に上昇して有機ＥＬ素子８が発光を開始し、やがてこれらゲート電圧Ｖｇ及びソース電圧Ｖｓの上昇が停止してこれらゲート電圧Ｖｇ及びソース電圧Ｖｓが一定電圧に保持される。
【００３５】
ところで図８に示すように、期間Ｔｔｈ１及びＴｔｈ２間の時点ｔ４から時点ｔ５までの期間ＴＸの間、画素回路１７では、駆動トランジスタＴＲ１のブートストラップ動作により、駆動トランジスタＴＲ１のソース電流で有機ＥＬ素子８の寄生容量Ｃｐを充電し、その結果、駆動トランジスタＴＲ１のソース電圧Ｖｓが上昇する。ここで画素回路１７では、このソース電圧Ｖｓの上昇により駆動トランジスタＴＲ１のゲート電圧Ｖｇも上昇することになり、その結果、時点ｔ４から時点ｔ５までの期間ＴＸの間、駆動トランジスタＴＲ１のゲートソース間電圧はほぼ一定電圧に保持されることになる。
【００３６】
しかしながら時点ｔ４から時点ｔ５までの期間の間の駆動トランジスタのソース電圧Ｖｓの電圧上昇により、ソース電圧Ｖｓが電圧Ｖｏｆｓ−Ｖｔｈ以上に上昇してしまう場合も予測される。この場合、画素回路１７は、時点ｔ５で続く２回目の期間Ｔｔｈ２を開始した時点で、信号レベル保持用コンデンサＣ１の端子間電圧ΔＶが駆動トランジスタＴＲ１のしきい値電圧Ｖｔｈ以下となり、その結果、画素回路１７では、駆動トランジスタＴＲ１のしきい値電圧のばらつきを正しく補正することが困難になる問題があり、表示画像の画質が劣化することになる。
【特許文献１】特開２００５−３４５７２２号公報
【特許文献２】特開２００７−１３３２８４号公報
【発明の開示】
【発明が解決しようとする課題】
【００３７】
本発明は以上の点を考慮してなされたもので、信号レベル保持用コンデンサの端子間電圧を駆動トランジスタのしきい値電圧以上に設定した後、複数回に分けて駆動トランジスタのしきい値電圧のばらつきを補正する場合でも、正しく駆動トランジスタのしきい値電圧のばらつきを補正することができる表示装置及び表示装置の駆動方法を提案しようとするものである。
【課題を解決するための手段】
【００３８】
上記の課題を解決するため請求項１の発明は、画素回路をマトリックス状に配置して形成された表示部に対して、前記表示部の信号線及び走査線を介して水平駆動回路及び垂直駆動回路により前記画素回路を駆動することにより、前記表示部で所望の画像を表示する表示装置に適用して、前記画素回路は、少なくとも発光素子と、信号レベル保持用コンデンサと、前記信号レベル保持用コンデンサの両端をゲート及びソースに接続し、前記発光素子のアノードを前記ソースに接続し、前記ゲート及びソース間電圧に応じた駆動電流で前記発光素子を駆動する駆動トランジスタと、前記垂直駆動回路から出力される書込信号によりオン動作して、前記駆動トランジスタのゲートを前記信号線に接続する書込トランジスタとを有し、前記水平駆動回路は、所定の固定電圧を間に挟んだ各画素の階調を示す階調電圧の連続による駆動信号を対応する前記信号線に出力し、前記垂直駆動回路は、前記発光素子の発光を停止させる非発光期間において、前記駆動信号が前記固定電圧に設定される期間で、前記書込信号により前記書込トランジスタをオン動作させ、前記信号レベル保持用コンデンサのゲート側端を前記信号線に接続することにより、前記信号レベル保持用コンデンサの前記ゲート側端を前記固定電圧に設定して前記信号レベル保持用コンデンサの端子間電圧を前記駆動トランジスタのしきい値電圧以上の電圧に設定した後、前記駆動信号が前記階調電圧に設定される補正休止期間で、前記書込信号により前記書込トランジスタをオフ動作させ、前記信号レベル保持用コンデンサの前記ゲート側端を前記信号線から切り離し、少なくとも前記補正休止期間を間に挟んだ、前記駆動信号が前記固定電圧に設定される第１及び第２の期間で、前記書込信号により前記書込トランジスタをオン動作させ、前記信号レベル保持用コンデンサのゲート側端を前記信号線に接続し、前記駆動トランジスタの電源の制御により前記信号レベル保持用コンデンサの前記発光素子側端を前記駆動トランジスタにより充電することにより、前記信号レベル保持用コンデンサの端子間電圧を前記駆動トランジスタのしきい値電圧に設定し、続いて前記駆動信号が前記階調電圧に設定される期間で、前記書込信号により前記書込トランジスタをオン動作させ、前記信号レベル保持用コンデンサの前記ゲート側端を前記信号線に接続することにより、前記信号レベル保持用コンデンサのゲート側端を前記階調電圧に設定し、前記画素回路は、前記書込トランジスタのゲート及びソース間に設けられた容量によるカップリングにより、前記書込信号の立ち下げによって前記駆動トランジスタのゲート電圧及びソース電圧を降下させ、前記補正休止期間の間、前記固定電圧から前記駆動トランジスタのしきい値電圧を減じた電圧以下に前記ソース電圧を保持する。
【００３９】
また請求項４の発明は、画素回路をマトリックス状に配置して形成された表示部に対して、前記表示部の信号線及び走査線を介して水平駆動回路及び垂直駆動回路により前記画素回路を駆動することにより、前記表示部で所望の画像を表示する表示装置の駆動方法に適用して、前記画素回路は、少なくとも発光素子と、信号レベル保持用コンデンサと、前記信号レベル保持用コンデンサの両端をゲート及びソースに接続し、前記発光素子のアノードを前記ソースに接続し、前記ゲート及びソース間電圧に応じた駆動電流で前記発光素子を駆動する駆動トランジスタと、前記垂直駆動回路から出力される書込信号によりオン動作して、前記駆動トランジスタのゲートを前記信号線に接続する書込トランジスタとを有し、前記駆動方法は、所定の固定電圧を間に挟んだ各画素の階調を示す階調電圧の連続による駆動信号を対応する前記信号線に出力する駆動信号出力ステップと、前記発光素子の発光を停止させる非発光期間において、前記駆動信号が前記固定電圧に設定される期間で、前記書込信号により前記書込トランジスタをオン動作させ、前記信号レベル保持用コンデンサのゲート側端を前記信号線に接続することにより、前記信号レベル保持用コンデンサの前記ゲート側端を前記固定電圧に設定して前記信号レベル保持用コンデンサの端子間電圧を前記駆動トランジスタのしきい値電圧以上の電圧に設定するしきい値電圧設定の前処理ステップと、前記駆動信号が前記階調電圧に設定される補正休止期間で、前記書込信号により前記書込トランジスタをオフ動作させ、前記信号レベル保持用コンデンサの前記ゲート側端を前記信号線から切り離し、少なくとも前記補正休止期間を間に挟んだ、前記駆動信号が前記固定電圧に設定される第１及び第２の期間で、前記書込信号により前記書込トランジスタをオン動作させ、前記信号レベル保持用コンデンサのゲート側端を前記信号線に接続し、前記駆動トランジスタの電源の制御により前記信号レベル保持用コンデンサの前記発光素子側端を前記駆動トランジスタにより充電することにより、前記信号レベル保持用コンデンサの端子間電圧を前記駆動トランジスタのしきい値電圧に設定するしきい値電圧設定ステップと、続いて前記駆動信号が前記階調電圧に設定される期間で、前記書込信号により前記書込トランジスタをオン動作させ、前記信号レベル保持用コンデンサの前記ゲート側端を前記信号線に接続することにより、前記信号レベル保持用コンデンサのゲート側端を前記階調電圧に設定する階調電圧設定ステップとを有し、前記しきい値電圧設定ステップは、前記書込トランジスタのゲート及びソース間に設けられた容量によるカップリングにより、前記書込信号の立ち下げによって前記駆動トランジスタのゲート電圧及びソース電圧を降下させ、前記補正休止期間の間、前記固定電圧から前記駆動トランジスタのしきい値電圧を減じた電圧以下に前記ソース電圧を保持する。
【００４０】
請求項１又は請求項４の構成によれば、補正休止期間において、信号レベル保持用コンデンサの端子間電圧により駆動トランジスタを介して信号レベル保持用コンデンサのソース側が充電されて信号レベル保持用コンデンサのソース側電圧が上昇する場合でも、このソース電圧を固定電圧から前記駆動トランジスタのしきい値電圧を減じた電圧以下に保持することができる。従って続く期間では、駆動トランジスタにより駆動トランジスタのしきい値電圧を信号レベル保持用コンデンサの端子間電圧に設定して、駆動トランジスタのしきい値電圧のばらつきを補正することができ、これにより信号レベル保持用コンデンサの端子間電圧を駆動トランジスタのしきい値電圧以上に設定した後、複数回に分けて駆動トランジスタのしきい値電圧のばらつきを補正する場合でも、正しく駆動トランジスタのしきい値電圧のばらつきを補正することができる。
【発明の効果】
【００４１】
本発明によれば、信号レベル保持用コンデンサの端子間電圧を駆動トランジスタのしきい値電圧以上に設定した後、複数回に分けて駆動トランジスタのしきい値電圧のばらつきを補正する場合でも、正しく駆動トランジスタのしきい値電圧のばらつきを補正することができる。
【発明を実施するための最良の形態】
【００４２】
以下、適宜図面を参照しながら本発明の実施例を詳述する。
【実施例１】
【００４３】
（１）実施例の構成
図１は、図６との対比により本発明の実施例１の表示装置を示すブロック図である。この表示装置２１において、図６の表示装置と同一の構成は、対応する符号を付して示し、重複した説明は省略する。この表示装置２１は、書込トランジスタＴＲ５を信号線ＳＩＧに接続する書込トランジスタＴＲ５のゲートソース間に、コンデンサＣ２が設けられた点を除いて、図６について上述した表示装置と同一に構成される。なおここでこの容量Ｃ２は、配線パターンにより作成される。
【００４４】
図２に示すように、この表示装置２１は、複数回の期間Ｔｔｈ１、Ｔｔｈ２に分けて信号レベル保持用コンデンサＣ１の端子間電圧を駆動トランジスタＴＲ１のしきい値電圧Ｖｔｈに設定するようにして、書込み信号ＷＳの立ち下げによって発生するコンデンサＣ２によるカップリングにより信号レベル保持用コンデンサＣ１の端子電圧を低下させ、これによりこれら複数回の期間Ｔｔｈ１、Ｔｔｈ２の間の補正休止期間ＴＸの間で、信号レベル保持用コンデンサＣ１の有機ＥＬ素子８側端の電圧が、電圧Ｖｏｆｓ−Ｖｔｈより立ち上がらないようにする。従ってコンデンサＣ２の容量は、駆動トランジスタＴＲ１のしきい値電圧Ｖｔｈがばらついて、補正休止期間ＴＸの開始時点で駆動トランジスタＴＲ１のソース電圧Ｖｓが種々に変化する場合でも、さらには駆動トランジスタＴＲ１の移動度μがばらついて補正休止期間ＴＸにおけるソース電圧Ｖｓの上昇速度が種々に変化する場合でも、補正休止期間ＴＸの間で、信号レベル保持用コンデンサＣ１の有機ＥＬ素子８側端の電圧を確実に電圧Ｖｏｆｓ−Ｖｔｈ以下に保持できる容量に設定される。
【００４５】
ここで書込み信号ＷＳの信号レベルの立ち下がりをＶａとすると、トランジスタＴＲ１のゲートソース間容量は十分に小さいことにより、コンデンサＣ２の容量（コンデンサＣ２の符号を用いて示す）と、駆動トランジスタＴＲ１のゲート及びアース間の容量とでこの電圧Ｖａを分圧した電圧ΔＶａだけ駆動トランジスタＴＲ１のゲート電圧Ｖｇのゲート電圧がカップリングにより低下することになり、この電圧降下ΔＶａは、次式により表すことができる。
【００４６】
【数２】
0005067134.tif 000003
【００４７】
従って駆動トランジスタＴＲ１のソース電圧Ｖｓは、書込み信号ＷＳの信号レベルの立ち下がりにより、次式に示す電圧ΔＶｓだけ降下することになる。
【００４８】
【数３】
0005067134.tif 000004
【００４９】
この（２）及び（３）式の関係、駆動トランジスタＴＲ１のばらつきを考慮して、コンデンサＣ２の容量、書込み信号ＷＳの電圧が設定される。なお図２においては、この実施例による駆動トランジスタＴＲ１のゲート電圧Ｖｇ及びソース電圧Ｖｓを実線により示し、図７について上述したゲート電圧Ｖｇ及びソース電圧Ｖｓを破線により示す。
【００５０】
（２）実施例の動作
以上の構成において、この表示装置２１では（図１）、水平駆動回路１３及び垂直駆動回路１４による表示部２２の駆動により順次ライン単位で表示部２２の画素回路２７に信号線ＳＩＧの階調電圧Ｖｓｉｇが設定されると共に、この設定された階調電圧Ｖｓｉｇにより各画素回路２７の有機ＥＬ素子８が発光し、所望の画像が表示部２２で表示される。
【００５１】
すなわちこの表示装置２１では、非発光期間Ｔ１において（図７参照）、各画素回路２７に設けられた信号レベル保持用コンデンサＣ１の一端が信号線ＳＩＧの階調電圧Ｖｓｉｇに設定され、発光期間Ｔ２において、この信号レベル保持用コンデンサＣ１の端子間電圧によるゲートソース間電圧Ｖｇｓにより駆動トランジスタＴＲ１で有機ＥＬ素子８が駆動される。これによりこの表示装置では、信号線ＳＩＧの階調電圧Ｖｓｉｇに応じた発光輝度で各画素回路２７の有機ＥＬ素子８が発光する。
【００５２】
表示装置２１は、この階調電圧Ｖｓｉｇの設定に先立って、非発光期間Ｔ１が開始すると、始めに信号レベル保持用コンデンサＣ１の両端電圧差が駆動トランジスタＴＲ１のしきい値電圧Ｖｔｈ以上の電圧に設定された後、この信号レベル保持用コンデンサＣ１の端子間電圧に応じた電流により信号レベル保持用コンデンサＣ１のソース側端が充電され、信号レベル保持用コンデンサＣ１の端子間電圧が駆動トランジスタＴＲ１のしきい値電圧に設定される。表示装置２１は、その後、駆動トランジスタＴＲ１のゲートが信号線ＳＩＧに接続されて信号レベル保持用コンデンサＣ１の一端の電圧が階調電圧Ｖｓｉｇに設定されることにより、駆動トランジスタＴＲ１のしきい値電圧Ｖｔｈにより補正して信号レベル保持用コンデンサＣ１の端子間電圧が階調電圧Ｖｓｉｇに対応する電圧に設定される。これにより表示装置２１では、駆動トランジスタＴＲ１のしきい値電圧のばらつきによる画質劣化が有効に回避される。また階調電圧Ｖｓｉｇを設定する際に一定期間Ｔμの間、信号線ＳＩＧに接続されて駆動トランジスタＴＲ１に電源が供給され、これにより信号レベル保持用コンデンサＣ１の端子間電圧が駆動トランジスタＴＲ１の移動度により補正されて、駆動トランジスタＴＲ１の移動度のばらつきによる画質劣化が防止される。
【００５３】
またさらに画素回路２７では、信号レベル保持用コンデンサＣ１の端子間電圧を駆動トランジスタＴＲ１のしきい値電圧Ｖｔｈ以上の電圧に設定した後、２回の期間Ｔｔｈ１及びＴｔｈ２に分けて、この信号レベル保持用コンデンサＣ１の端子間電圧が駆動トランジスタＴＲ１により放電されて駆動トランジスタＴＲ１のしきい値電圧に設定され、これにより高解像度化により動作周波数を高周波数化した場合でも、しきい値電圧Ｖｔｈを設定する時間を十分に確保して、駆動トランジスタＴＲ１のしきい値電圧Ｖｔｈのばらつきによる画質劣化を確実に防止することができる。
【００５４】
しかしながらこのように複数回の期間Ｔｔｈ１及びＴｔｈ２に分けて信号レベル保持用コンデンサＣ１の端子間電圧を駆動トランジスタＴＲ１のしきい値電圧に設定する場合、１回目の期間Ｔｔｈ１の期間で、信号レベル保持用コンデンサＣ１の端子間電圧を駆動トランジスタＴＲ１のしきい値電圧Ｖｔｈに十分に近づけることが困難な場合も発生する。この場合には、これら期間Ｔｔｈ１及びＴｔｈ２の間の補正休止期間ＴＸにおける駆動トランジスタＴＲ１のブートストラップ動作により駆動トランジスタＴＲ１のソース電圧Ｖｓが電圧Ｖｏｆｓ−Ｖｔｈ以上にまで上昇し、結局、信号レベル保持用コンデンサＣ１の端子間電圧を正しく駆動トランジスタＴＲ１のしきい値電圧に設定することが困難になる恐れがある。
【００５５】
そこでこの実施例では、書込トランジスタＴＲ５のゲート及びソース間にコンデンサＣ２が配置され、書込み信号ＷＳが立ち下げられて１回目の期間Ｔｔｈ１が終了する時点で、このコンデンサＣ２による書込み信号ＷＳのカップリングによりトランジスタＴＲ１のゲート電圧Ｖｇ及びソース電圧Ｖｓを立ち下げ、補正休止期間ＴＸの間では、駆動トランジスタＴＲ１のソース電圧Ｖｓが電圧Ｖｏｆｓ−Ｖｔｈを越えないように設定される。
【００５６】
これによりこの実施例では、信号レベル保持用コンデンサＣ１の端子間電圧が駆動トランジスタＴＲ１のしきい値電圧Ｖｔｈより大きい場合であることを条件に、続く２回目の期間Ｔｔｈ２において、信号レベル保持用コンデンサＣ１の端子間電圧が駆動トランジスタＴＲ１を介して放電し、信号レベル保持用コンデンサＣ１の端子間電圧を駆動トランジスタＴＲ１のしきい値電圧Ｖｔｈに正しく設定することができる。従って、駆動トランジスタＴＲ１のしきい値電圧Ｖｔｈのばらつきによる画質劣化を有効に回避することができる。
【００５７】
（３）実施例の効果
以上の構成によれば、複数回の期間に分けて信号レベル保持用コンデンサの端子間電圧を駆動トランジスタにより放電させて信号レベル保持用コンデンサの端子間電圧を駆動トランジスタＴＲ１のしきい値電圧に設定する際に、書込トランジスタのゲートソース間の容量によるカップリングにより信号レベル保持用コンデンサの端子電圧を低下させることにより、複数回に分けて駆動トランジスタのしきい値電圧のばらつきを補正する場合でも、正しく駆動トランジスタのしきい値電圧のばらつきを補正することができる。
【実施例２】
【００５８】
なお上述の実施例においては、配線パターンにより容量Ｃ２を作成する場合について述べたが、本発明はこれに限らず、書込トランジスタＴＲ５のゲート及びソースのオーバーラップにより作成してもよい。
【００５９】
また上述の実施例においては、走査線に出力する電源の直接の制御により駆動トランジスタＴＲ１の電源を制御する場合について述べたが、本発明はこれに限らず、図３について上述したように、別途、トランジスタＴＲ２を設けて駆動トランジスタの電源を制御してもよい。
【００６０】
また上述の実施例においては、駆動トランジスタＴＲ１のドレイン電圧を所定電圧Ｖｉｎｉに立ち下げて信号レベル保持用コンデンサＣ１の有機ＥＬ素子側電圧を立ち下げ、信号レベル保持用コンデンサＣ１の端子間電圧を駆動トランジスタのしきい値電圧以上に設定する場合について述べたが、本発明はこれに限らず、図３について上述したように専用のトランジスタＴＲ４を介して所定の基準電圧を接続して信号レベル保持用コンデンサの端子間電圧を駆動トランジスタのしきい値電圧以上に設定する場合にも広く適用することができる。
【００６１】
また上述の実施例では、発光素子に有機ＥＬ素子を使用する場合について述べたが、本発明はこれに限らず、電流駆動型の各種発光素子を使用する場合に広く適用することができる。
【産業上の利用可能性】
【００６２】
本発明は、例えば有機ＥＬ素子によるアクティブマトリックス型の表示装置に適用することができる。
【図面の簡単な説明】
【００６３】
【図１】本発明の実施例１の表示装置を示すブロック図である。
【図２】図１の表示装置の動作の説明に供するタイムチャートである。
【図３】従来の表示装置を示す接続図である。
【図４】図３の表示装置の動作の説明に供するタイムチャートである。
【図５】信号線により信号レベル保持用コンデンサの一端の電圧を設定する場合等に考えられる表示装置を示すブロック図である。
【図６】図５の表示装置の接続図である。
【図７】図５の表示装置の動作の説明に供するタイムチャートである。
【図８】しきい値電圧を正しく設定できない場合の説明に供するタイムチャートである。
【符号の説明】
【００６４】
１、１１、２１……表示装置、３、１３……水平駆動回路、５、１５……垂直駆動回路、６、１６、２２……表示部、７、１７、２７……画素回路、８……有機ＥＬ素子、Ｃ１……信号レベル保持用コンデンサ、Ｃ２……コンデンサ、ＴＲ１〜ＴＲ５……トランジスタ
【図１】
0005067134.tif 000005
【図２】
0005067134.tif 000006
【図３】
0005067134.tif 000007
【図４】
0005067134.tif 000008
【図５】
0005067134.tif 000009
【図６】
0005067134.tif 000010
【図７】
0005067134.tif 000011
【図８】
0005067134.tif 000012